【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
水性インクビヒクル、水性顔料分散物およびポリマーバインダーを含むインクジェットインクであって、前記水性顔料分散物が着色剤およびポリウレタン分散剤を含み、前記ポリマーバインダーが前記着色剤と反応せず、そして前記ポリウレタン分散剤が、
（ａ）水性分散部分、および
（ｂ）架橋剤で架橋される架橋性部分であって、ポリマー骨格に垂れ下がり、かつ、ポリマー鎖の末端にある前記架橋部分
を持ったポリマーからなり、
前記ポリウレタン分散剤が、式Ｉ：
【化１】
2013538275.tif 000001
（Ｉ）
（式中、各Ｘは独立して、ＯＨ、ＳＨ、ＣＯＯＨまたはＮＨＲ4であり；
各Ｙは独立して、Ｏ、ＳまたはＮＲ4であり；
各Ｗは、Ｎ、ＯまたはＳであり；
各Ｒ1は独立して、Ｃ1〜Ｃ20アルキル、Ｃ3〜Ｃ20置換アルキル、Ｃ6〜Ｃ40アリールまたはＣ9〜Ｃ40置換アリールであり；
Ｒ2は、少なくとも１つのＺ1、少なくとも１つのＺ2および少なくとも１つのＺ3が存在する、二官能性イソシアネート反応剤Ｚ1、Ｚ2およびＺ3からなり；
各Ｒ3は独立して、Ｃ1〜Ｃ20アルキルまたはＣ3〜Ｃ20置換アルキルであり；
各Ｒ4は独立して、−Ｒ3−Ｘ、Ｈ、Ｃ1〜Ｃ20アルキルまたはＣ3〜Ｃ20置換アルキルであり；
ｎは、２〜３０の整数であり；
Ｚ1は、水性分散部分で置換された二官能性イソシアネート反応剤であり；
Ｚ2は、１つ以上の架橋性部分で置換された二官能性イソシアネート反応剤であり；
Ｚ3は、３０００未満のＭＷのポリオールである）
の一般構造の少なくとも１つの化合物を含むインクジェットインク。
【請求項２】
前記ポリマーバインダーが、ポリウレタン、アクリル、スチレンアクリル、スチレンブタジエン、スチレンブタジエンアクリロニトリル、ネオプレン、エチレンアクリル酸コポリマー、エチレン酢酸ビニル、およびそれらの混合物からなる群から選択される１つ以上の構成要素である、請求項１に記載のインク。
【請求項３】
前記架橋剤が、エポキシド、イソシアネート、カルボジイミド、Ｎ−メチロール、オキサゾリン、シラン、およびそれらの混合物からなる群から選択される１つ以上の構成要素である、請求項２に記載のインク。
【請求項４】
Ｚ1が、前記水性分散部分で置換されたポリオールである、請求項３に記載のインク。
【請求項５】
Ｚ2が、１つ以上の架橋性部分で置換されたポリオールである、請求項４に記載のインク。
【請求項６】
前記水性分散部分が１つ以上のカルボキシル基からなる、請求項５に記載のインク。
【請求項７】
前記架橋性部分が１つ以上のカルボキシル基からなる、請求項６に記載のインク。
【請求項８】
ＹがＮＲ4である、請求項７に記載のインク。
【請求項９】
前記ポリマーバインダーがポリウレタンである、請求項８に記載のインク。
【請求項１０】
ＸがＯＨである、請求項３に記載のインク。
【手続補正２】
【補正対象書類名】明細書
【補正対象項目名】０１５８
【補正方法】変更
【補正の内容】
【０１５８】
下の表３に示されるように、バインダーと一緒に被架橋ブラック分散物１を使って製造されたインクは、印刷されたときに一般に、バインダーが存在しない比較インクと比べてより低い光学密度、より良好な汚れおよびハイライター汚れ特性を示した。Ｘｅｒｏｘ  ４２００上に印刷されたとき、光学密度、汚れおよびハイライター汚れ特性の変化は、バインダーありインクとバインダーなしインクとの間でまったく観察されなかった。
本発明は以下の実施の態様を含むものである。
１．水性インクビヒクル、水性顔料分散物およびポリマーバインダーを含むインクジェットインクであって、前記水性顔料分散物が着色剤およびポリウレタン分散剤を含み、前記ポリマーバインダーが前記着色剤と反応せず、そして前記ポリウレタン分散剤が、
（ａ）水性分散部分、および
（ｂ）架橋剤で架橋される架橋性部分であって、ポリマー骨格に垂れ下がり、かつ、ポリマー鎖の末端にある前記架橋部分
を持ったポリマーからなり、
前記ポリウレタン分散剤が、式Ｉ：
【化２】
2013538275.tif 000002
（Ｉ）
（式中、各Ｘは独立して、ＯＨ、ＳＨ、ＣＯＯＨまたはＮＨＲ4であり；
各Ｙは独立して、Ｏ、ＳまたはＮＲ4であり；
各Ｗは、Ｎ、ＯまたはＳであり；
各Ｒ1は独立して、Ｃ1〜Ｃ20アルキル、Ｃ3〜Ｃ20置換アルキル、Ｃ6〜Ｃ40アリールまたはＣ9〜Ｃ40置換アリールであり；
Ｒ2は、少なくとも１つのＺ1、少なくとも１つのＺ2および少なくとも１つのＺ3が存在する、二官能性イソシアネート反応剤Ｚ1、Ｚ2およびＺ3からなり；
各Ｒ3は独立して、Ｃ1〜Ｃ20アルキルまたはＣ3〜Ｃ20置換アルキルであり；
各Ｒ4は独立して、−Ｒ3−Ｘ、Ｈ、Ｃ1〜Ｃ20アルキルまたはＣ3〜Ｃ20置換アルキルであり；
ｎは、２〜３０の整数であり；
Ｚ1は、水性分散部分で置換された二官能性イソシアネート反応剤であり；
Ｚ2は、１つ以上の架橋性部分で置換された二官能性イソシアネート反応剤であり；
Ｚ3は、３０００未満のＭＷのポリオールである）
の一般構造の少なくとも１つの化合物を含むインクジェットインク。
２．前記ポリマーバインダーが、ポリウレタン、アクリル、スチレンアクリル、スチレンブタジエン、スチレンブタジエンアクリロニトリル、ネオプレン、エチレンアクリル酸コポリマー、エチレン酢酸ビニル、およびそれらの混合物からなる群から選択される１つ以上の構成要素である、前記１．に記載のインク。
３．前記架橋剤が、エポキシド、イソシアネート、カルボジイミド、Ｎ−メチロール、オキサゾリン、シラン、およびそれらの混合物からなる群から選択される１つ以上の構成要素である、前記２．に記載のインク。
４．Ｚ1が、前記水性分散部分で置換されたポリオールである、前記３．に記載のインク。
５．Ｚ2が、１つ以上の架橋性部分で置換されたポリオールである、前記４．に記載のインク。
６．前記水性分散部分が１つ以上のカルボキシル基からなる、前記５．に記載のインク。
７．前記架橋性部分が１つ以上のカルボキシル基からなる、前記６．に記載のインク。
８．ＹがＮＲ4である、前記７．に記載のインク。
９．前記ポリマーバインダーがポリウレタンである、前記８．に記載のインク。
１０．ＸがＯＨである、前記３．に記載のインク。
１１．Ｚ1が、水性分散部分で置換されたポリオールである、前記１０．に記載のインク。
１２．Ｚ2が、１つ以上の架橋性部分で置換されたポリオールである、前記１１．に記載のインク。
１３．前記ポリマーバインダーがポリウレタンである、前記１２．に記載のインク。
１４．ＸがＮＨＲ4である、前記３．に記載のインク。
１５．Ｚ1が、前記水性分散部分で置換されたポリオールである、前記１４．に記載のインク。
１６．Ｚ2が、１つ以上の架橋性部分で置換されたポリオールである、前記１５．に記載のインク。
１７．前記ポリマーバインダーがポリウレタンである、前記１６．に記載のインク。
１８．ＹがＮＲ4である、前記３．に記載のインク。
１９．Ｚ1が前記水性分散部分で置換されたポリオールである、１８．に記載のインク。
２０．Ｚ2が１つ以上の架橋性部分で置換されたポリオールである、前記１９．に記載のインク。
２１．前記ポリマーバインダーがポリウレタンである、前記２０．に記載のインク。
２２．Ｒ4が−Ｒ5−Ｘであり、前記ポリマーバインダーがポリウレタンである、前記３．に記載のインク。
２３．各ＷがＯである、前記２２．に記載のインク。
２４．各ＷがＮである、前記２２．に記載のインク。
２５．前記架橋性部分対前記架橋剤のモル比が１５：１〜１：１．５である、前記３．に記載のインク。